(57)【要約】【課題】高速回転時においてポケット部の内周側部が転動体に対して当接することを回避し得る構成とし、かつ保持器が外輪や内輪に干渉し難い構成になっている玉軸受用の樹脂製冠形保持器を提供する。【解決手段】環状のベース部２と、そのベース部２の一側部から軸方向に延びる複数の柱部３と、転動体１３を転動可能に保持するために柱部３間に形成された複数のポケット部４とを有する玉軸受１０用の樹脂製冠形保持器１であって、柱部３は、ベース部２の外周面よりも径方向外方に張出す大径張出部３ａを有している。ポケット部４は、大径張出部３ａによって外周側の開口径が内周側の開口径よりも小さくなっている。【選択図】        図２
2007263211.tif 000002
【特許請求の範囲】
【請求項１】
環状のベース部と、そのベース部の一側部から軸方向に延びる複数の柱部と、転動体を転動可能に保持するために前記柱部間に形成された複数のポケット部とを有する玉軸受用の樹脂製冠形保持器であって、
前記柱部は、前記ベース部の外周面よりも径方向外方に張出す大径張出部を有し、
前記ポケット部は、前記大径張出部によって外周側の開口径が内周側の開口径よりも小さくなっていることを特徴とする玉軸受用の樹脂製冠形保持器。
【請求項２】
請求項１に記載の玉軸受用の樹脂製冠形保持器であって、
大径張出部は、玉軸受の外輪の内周面に形成された軌道溝に向けて張出していることを特徴とする玉軸受用の樹脂製冠形保持器。
【請求項３】
請求項１または２に記載の玉軸受用の樹脂製冠形保持器であって、
大径張出部は、少なくとも転動体の中心よりもベース部寄りの柱部の外周面から張出していることを特徴とする玉軸受用の樹脂製冠形保持器。
【請求項４】
請求項１〜３のいずれかに記載の玉軸受用の樹脂製冠形保持器であって、
柱部の内周面には、ベース部の内周面よりも径方向外側に切欠かれた切欠き部が形成されており、該切欠き部によってポケット部の内周側の開口径が大きくなっていることを特徴とする玉軸受用の樹脂製冠形保持器。
【発明の詳細な説明】
【技術分野】
【０００１】
本発明は、玉軸受用の樹脂製冠形保持器に関する。
【背景技術】
【０００２】
従来、例えば特許文献１，２に記載の樹脂製冠形保持器が知られている。
特許文献１，２に記載の保持器は、環状のベース部と、ベース部の一側部から軸方向に延びる複数の柱部と、転動体を転動可能に保持するために柱部間に形成された複数のポケット部を有している。ポケット部は、内周側の開口径が外周側の開口径よりも小さくなっており、保持器の径方向の移動が開口径の小さいポケット部の内周側部によって規制されていた。この種の保持器は、樹脂製であるため、金属製のものに比べて変形し易く、特に片持ち梁状の柱部が変形し易い。したがって保持器を高速回転下で使用すると、柱部が遠心力によって径方向外方に変形して、ポケット部の内周側部が転動体に当接してしまう場合があった。そのため転動体の転動の妨げになったり、ポケット部の異常磨耗や亀裂が発生したりするなどの問題があった。
【特許文献１】実開平５−３４３１７号公報
【特許文献２】特開２０００−２９１６６２号公報
【発明の開示】
【発明が解決しようとする課題】
【０００３】
この対策として、ポケット部の内周側の開口径を大きくし、ポケット部の内周側部が転動体に当接することを回避する方法が考えられる。しかしポケット部の内周側の開口径を大きくしただけでは、保持器の径方向の移動量が大きくなりすぎ、保持器が玉軸受の外輪や内輪に干渉してしまうという問題が生じる。
そこで本発明は、高速回転時においてポケット部の内周側部が転動体に対して当接することを回避し得る構成とし、かつ保持器が外輪や内輪に干渉し難い構成になっている玉軸受用の樹脂製冠形保持器を提供することを課題とする。
【課題を解決するための手段】
【０００４】
前記課題を解決するために本発明は、各請求項に記載の通りの構成を備える玉軸受の樹脂製冠形保持器であることを特徴とする。
請求項１に記載の発明によると、柱部は、ベース部の外周面よりも径方向外方に張出す大径張出部を有している。そしてポケット部は、大径張出部によって外周側の開口径が内周側の開口径よりも小さくなっている。
【０００５】
したがって保持器の径方向の移動量は、ポケット部の外周側部によって確保される。そのため保持器が径方向に移動し、外輪または内輪に干渉することをポケット部の外周側部によって抑制することができる。
また保持器の径方向の移動量をポケット部の外周側部によって確保できるために、ポケット部の外周側と反対の内周側の開口径を大きくすることができる。すなわち保持器の径方向の移動量を所定の量に保ちつつ、内周側の開口径を大きくすることができる。その結果、高速回転時に柱部が径方向外側に変形して、ポケット部の内周側部が転動体に当接することを抑制できる構成にすることが可能になっている。
【０００６】
請求項２に記載の発明によると、大径張出部は、玉軸受の外輪の内周面に形成された軌道溝に向けて張出している。
したがって大径張出部は、外輪の軌道溝によって外輪に干渉することなく、径方向外方に大きく張出して形成され得る。そのためポケット部の外周側の開口部の開口径を確実に小さくすることができ、これにより保持器の径方向の移動量を確実に抑制することができる。
【０００７】
請求項３に記載の発明によると、大径張出部は、少なくとも転動体の中心よりもベース部寄りの柱部の外周面から張出している。
したがってポケット部は、大径張出部によって転動体の中心よりもベース部寄りの転動体を覆う。そのため保持器の移動量は、ポケット部によって確実に規制され得る。
【０００８】
請求項４に記載の発明によると、柱部の内周面には、ベース部の内周面よりも径方向外側に切欠かれた切欠き部が形成されている。そして該切欠き部によってポケット部の内周側の開口径が大きくなっている。
したがって高速回転時に柱部が径方向外側に変形し、ポケット部の内周側部が転動体に当接することを抑制することができる。
【発明を実施するための最良の形態】
【０００９】
（実施の形態１）
実施の形態１を図１〜３にしたがって説明する。
実施の形態１に係る玉軸受１０は、図２に示すように内輪１１と、外輪１２と、複数の転動体１３と、保持器１を有している。
玉軸受１０は、深溝玉軸受であって、内輪１１の外周面に断面円弧状の軌道溝１１ａを有しており、外輪１２の内周面に断面円弧状の軌道溝１２ａを有している。転動体１３は、内輪１１と外輪１２の間に介在される玉であって、軌道溝１１ａ，１２ａに沿って転動する。
【００１０】
保持器１は、図１に示すように樹脂製冠形の保持器であって、環状のベース部２と複数の柱部３を一体に有している。
柱部３は、ベース部２の一側部から軸方向に延びており、複数の柱部３は、ベース部２の周方向に等間隔で形成されている。複数の柱部３の間には、図１に示すようにポケット部４が形成されている。ポケット部４は、図１，３に示すように転動体１３の外面に沿った凹球面状の曲面を有しており、曲面によって転動体１３を転動可能に保持する。
【００１１】
柱部３は、図２に示すように外周面側に径方向外方に張出す大径張出部３ａを有している。そして内周面側に径方向外方に切欠かれた切欠き部３ｂを有している。
大径張出部３ａは、図２に示すようにベース部２の外周面よりも径方向外方に張出しており、柱部３の外周面途中に段差を形成している。この段差は、転動体１３の中心Ｃよりもベース部２側の位置であり、大径張出部３ａは、その段差から柱部３先端までの領域に形成されている。
【００１２】
大径張出部３ａは、図２に示すように外輪１２の軌道溝１２ａに対面する柱部３の外周面位置に形成されており、軌道溝１２ａに向けて張出している。そして大径張出部３ａは、ベース部２の外周面よりも径方向外方に張出している。
大径張出部３ａの周方向長さは、図３に示すように柱部３の周方向長さと同じであって、大径張出部３ａは、円筒状に形成されている。
【００１３】
切欠き部３ｂは、図２に示すように柱部３の内周面をベース部２の内周面よりも径方向外方に切欠いて形成される。切欠き部３ｂは、大径張出部３ａの裏側面に対応する柱部３の内周面領域に形成されており、切欠き深さが大径張出部３ａの張出し量とほぼ同じになっている。したがって柱部３の径方向厚さは、大径張出部３ａを有する場所と有しない場所とにおいてほぼ同じになっている。
切欠き部３ｂの周方向長さは、図３に示すように柱部３の周方向長さと同じであって、柱部３の内周面を円筒状に切欠いている。
【００１４】
柱部３の径方向中心位置は、図２，３に示すように大径張出部３ａと切欠き部３ｂによって転動体１３のピッチ円径ＰＣＤよりも径方向外側に位置している。すなわち柱部３の径方向の外側厚み３ｗ２（ＰＣＤと大径張出部３ａの外周面の距離）が、柱部３の径方向の内周側厚み３ｗ１（ＰＣＤと切欠き部３ｂの内周面の距離）よりも大きくなっている。一方、ベース部２の径方向中心径は、図２に示すようにピッチ円径ＰＣＤとほぼ同じであり、ベース部２の径方向の外側厚み２ｗ２（ＰＣＤとベース部２の外周面の距離）と、ベース部２の径方向の内周側厚み２ｗ１（ＰＣＤとベース部２の内周面の距離）がほぼ同じになっている。
【００１５】
ポケット部４は、図３に示すように凹球面状の曲面を有しており、保持器１の外周側を開口する開口部４ａと、内周側を開口する開口部４ｂを有している。
外周側の開口部４ａは、柱部３の大径張出部３ａを開口している。そのため開口部４ａは、大径張出部３ａによって開口径４ｗ２が小さくなっている。一方、内周側の開口部４ｂは、柱部３の切欠き部３ｂ側を開口している。そのため開口部４ｂは、切欠き部３ｂによって開口径４ｗ１が大きくなっている。そして開口径４ｗ１が開口径４ｗ２よりも大きくなっている。そのため保持器１は、ポケット部４の外周側部によって径方向の移動が規制されている。
【００１６】
ポケット部４の径方向内側の面積（ＰＣＤよりも径方向内側の面積）は、図３に示すように切欠き部３ｂによって小さくなっている。一方、径方向外側の面積（ＰＣＤよりも径方向外側の面積）は、大径張出部３ａによって大きくなっている。したがってポケット部４の転動体１３の抱く量は、大径張出部３ａによって大きくなっている。
【００１７】
以上のようにして実施の形態１が形成されている。
すなわち柱部３は、図２，３に示すようにベース部２の外周面よりも径方向外方に張出す大径張出部３ａを有している。そしてポケット部４は、大径張出部３ａによって外周側の開口径４ｗ２が内周側の開口径４ｗ１よりも小さくなっている。
【００１８】
したがって保持器１の径方向の移動量は、ポケット部４の外周側部によって確保される。そのため保持器１が径方向に移動し、外輪１２または内輪１１に干渉することをポケット部４の外周側部によって抑制することができる。
また保持器１の径方向の移動量をポケット部４の外周側部によって確保できるために、図３に示すようにポケット部４の外周側と反対の内周側の開口径４ｗ１を大きくすることができる。すなわち保持器１の径方向の移動量を所定の量に保ちつつ、内周側の開口径４ｗ１を大きくすることができる。その結果、高速回転時に柱部３が径方向外側に変形して、ポケット部４の内周側部が転動体１３に当接することを抑制できる構成にすることができる。
【００１９】
また大径張出部３ａは、図２に示すように玉軸受１０の外輪１２の内周面に形成された軌道溝１２ａに向けて張出している。
したがって大径張出部３ａは、外輪１２の軌道溝１２ａによって外輪１２に干渉することなく、径方向外方に大きく張出して形成され得る。そのため図３に示すようにポケット部４の外周側の開口部４ａの開口径４ｗ２を確実に小さくすることができ、これにより保持器１の径方向の移動量を確実に抑制することができる。
【００２０】
また大径張出部３ａは、図２に示すように少なくとも転動体１３の中心Ｃよりもベース部２寄りの柱部３の外周面から張出している。
したがってポケット部４は、大径張出部３ａによって転動体１３の中心Ｃよりもベース部２寄りの転動体１３を覆う。そのため保持器１の移動量は、ポケット部４によって確実に規制され得る。
【００２１】
また柱部３の内周面には、図２，３に示すようにベース部２の内周面よりも径方向外側に切欠かれた切欠き部３ｂが形成されている。そして該切欠き部３ｂによってポケット部４の内周側の開口径４ｗ１が大きくなっている。
したがって高速回転時に柱部３が径方向外側に変形し、ポケット部４の内周側部が転動体１３に当接することを抑制することができる。
【００２２】
（実施の形態２）
実施の形態２を図４，５にしたがって説明する。
実施の形態２は、実施の形態１とほぼ同様に形成されている。しかし実施の形態２は、図２に示すベース部２の内周側の厚み２ｗ３が、図４に示す実施の形態１の厚み２ｗ１よりも薄くなっている点等において相違している。以下、相違点を中心に実施の形態２について説明する。
【００２３】
ベース部２の内周側の厚み（ＰＣＤよりも径方向内側の厚み）２ｗ３は、図４に示すように外周側の厚み（ＰＣＤよりも径方向外側の厚み）２ｗ２よりも薄くなっている。
柱部３は、内周面がベース部２の内周面と面一になっている。すなわち柱部３の内周面の全面に円筒面状の切欠き部３ｃが形成されており、柱部３の内周面がベース部２の内周面と面一になっている。
柱部３の内周側の厚み３ｗ１は、ベース部２の内周側の厚み２ｗ３と等しくなっており、３ｗ１は、柱部３の厚み３ｗ２よりも小さくなっている。そしてポケット部４は、図５に示すように内周側の開口径４ｗ１が外周側の開口径４ｗ２よりも大きくなっている。
【００２４】
（他の実施の形態）
本発明は、実施の形態１，２に限定されず、以下の形態であっても良い。
（１）実施の形態１，２に記載の柱部は、大径張出部を有しており、その周方向（図３，５の左右方向）の長さが柱部の周方向長さ全長と同じになっていた。しかし柱部が実施の形態に係る大径張出部（図３の３ａ）に代えて、図６に示す大径張出部３ｄを有している形態であっても良い。すなわちポケット部４の外周側の開口部４ａの少なくとも一部に沿って立設し、かつ柱部３の周方向長さ全長よりも短い大径張出部３ｄを有している形態であっても良い。
（２）実施の形態１，２に記載の保持器は、深溝玉軸受に用いられる保持器であったが、深溝でない他の玉軸受に用いられる保持器であっても良い。
【図面の簡単な説明】
【００２５】
【図１】実施の形態１の保持器の斜視図である。
【図２】実施の形態１の玉軸受の一部断面図である。
【図３】図２のIII―III線断面矢視図である。
【図４】実施の形態２の玉軸受の一部断面図である。
【図５】図４のV―V線断面矢視図である。
【図６】図３に相当する他の実施の形態の保持器の一部断面図である。
【符号の説明】
【００２６】
１・・・保持器
２・・・ベース部
３・・・柱部
３ａ，３ｄ・・・大径張出部
３ｂ，３ｃ・・・切欠き部
４・・・ポケット部
４ａ，４ｂ・・・開口部
４ｗ１，４ｗ２・・・開口径
１０・・・玉軸受
１１・・・内輪
１１ａ，１２ａ・・・軌道溝
１２・・・外輪
１３・・・転動体
【図１】
2007263211.tif 000003
【図２】
2007263211.tif 000004
【図３】
2007263211.tif 000005
【図４】
2007263211.tif 000006
【図５】
2007263211.tif 000007
【図６】
2007263211.tif 000008